(57)【特許請求の範囲】
【請求項１】
所定の事柄を評価するための語句又は記号のうちユーザが選択したものを表す情報を前記事柄に関してユーザが行った評価を表す評価情報として入力する操作を受け付ける受付手段と、
受け付けられた前記操作により入力された前記評価情報を、当該評価情報を入力する操作を行ったユーザが属するグループを識別する識別情報に対応付けて記憶する記憶手段と、
１以上のグループが指定されると、指定されたグループを識別する識別情報に対応付けて記憶された前記評価情報を前記記憶手段から読み出して表示手段に表示させる表示制御手段と
を備えるシステム。
【請求項２】
前記表示制御手段は、２以上のグループが指定された場合には、当該２以上のグループを識別する識別情報の各々に対応付けられた前記評価情報を比較可能な態様で表示させる
請求項１に記載のシステム。
【請求項３】
前記ユーザが属するグループは、特定のグループとそれ以外のグループとに分けられ、
前記表示制御手段は、指定されたグループが前記特定のグループでない場合には、当該指定されたグループを識別する識別情報に対応付けられた前記評価情報と前記特定のグループを識別する識別情報に対応付けられた前記評価情報との違いを表す情報を表示させる
請求項１または２に記載のシステム。
【請求項４】
写真を撮影する撮影手段を備え、
前記受付手段は、撮影された前記写真を表示手段に表示させ、前記ユーザが当該写真内の第１の位置を指示し、当該第１の位置から第２の位置まで指示する位置を移動させる操作を行った場合に、当該第２の位置から当該第１の位置の方を指す矢印を表示させると共に、当該移動させる操作を、前記評価情報を入力する操作として受け付け、
前記記憶手段は、前記移動させる操作が終わったときに表示されている前記矢印を重畳させた前記写真を表す情報を前記評価情報として記憶する
請求項１から３までのいずれか１項に記載のシステム。
【請求項５】
前記受付手段は、前記矢印の近辺に当該矢印に対応する記号を表示させ、当該記号を含む領域を表示させるとともに、当該領域にユーザがコメントを作成する操作を、前記評価情報を入力する操作として受け付け、
前記記憶手段は、前記記号と、前記領域に作成されたコメントを当該記号に対応するコメントとして表す情報を前記評価情報として記憶する
請求項４に記載のシステム。
【請求項６】
前記受付手段は、前記評価情報としてコメントを作成する操作が行われる際に、当該評価情報に用いられる語句として定められた文字列を表示手段に表示させ、表示させた当該文字列がユーザによって選択された場合に、当該文字列を選択する操作を、前記評価情報を入力する操作として受け付ける
請求項１から５までのいずれか１項に記載のシステム。
【請求項７】
前記所定の事柄は複数の種類に分類され、
前記受付手段は、評価される事柄の種類に応じた前記文字列を表示手段に表示させる
請求項６に記載のシステム。
【請求項８】
コンピュータを、
所定の事柄を評価するための語句又は記号のうちユーザが選択したものを表す情報を前記事柄に関してユーザが行った評価を表す評価情報として入力する操作を受け付ける受付手段と、
受け付けられた前記操作により入力された前記評価情報を、当該評価情報を入力する操作を行ったユーザが属するグループを識別する識別情報に対応付けて記憶する記憶手段と、
１以上のグループが指定されると、指定されたグループを識別する識別情報に対応付けて記憶された前記評価情報を前記記憶手段から読み出して表示手段に表示させる表示制御手段
として機能させるためのプログラム。
【発明の詳細な説明】
【技術分野】
【０００１】
本発明は、ユーザが行った評価を活用する技術に関する。
【背景技術】
【０００２】
ユーザが行った評価を活用する技術がある。例えば、特許文献１には、食品を取り扱う施設における衛生管理の状態をユーザによる入力の操作に応じてスコア化する技術が記載されている。この技術では、衛生管理の状態についてユーザが行った評価を、スコア化して食中毒の予防のために活用している。
【先行技術文献】
【特許文献】
【０００３】
【特許文献１】特開２０１０−２８７１６６号公報
【発明の概要】
【発明が解決しようとする課題】
【０００４】
ユーザによる評価は、感染症の予防にも活用されている。例えば、感染症の原因となる病原体が伝播しにくい環境を保つため、医療従事者の手指の衛生が保たれているかを評価したり、マスクなどの防護具が適切に使用されているかを評価したりする、環境ラウンドなどと呼ばれる取り組みが行われている。この環境ラウンドにおける評価の作業は、病室や流し、トイレ、浴室など、様々な場所で行わなければならず、評価する事柄も多岐に亘っているため、複数の医療従事者が分担して行うことも多い。
【０００５】
医療従事者の中には、微生物検査技師のように感染症の蔓延を予防するためにどのような点に注意して評価すればよいかを詳しく知っている者もいれば、研修医のようにそれらの点をあまり知らない者もいる。そのため、例えば同じ事柄を評価しても、微生物検査技師が問題ありと評価したにもかかわらず、研修医は問題なしと評価する、といったことも起こり得る。しかし、例えば微生物検査技師が行っている評価を研修医が参考にすることができれば、研修医であってもより適切な評価を行うようになることが期待できる。
そこで、本発明は、他のユーザが行った評価を自分が行う評価の参考にしやすくすることを目的とする。
【課題を解決するための手段】
【０００６】
本発明は、所定の事柄を評価するための語句又は記号のうちユーザが選択したものを表す情報を前記事柄に関してユーザが行った評価を表す評価情報として入力する操作を受け付ける受付手段と、受け付けられた前記操作により入力された前記評価情報を、当該評価情報を入力する操作を行ったユーザが属するグループを識別する識別情報に対応付けて記憶する記憶手段と、１以上のグループが指定されると、指定されたグループを識別する識別情報に対応付けて記憶された前記評価情報を前記記憶手段から読み出して表示手段に表示させる表示制御手段とを備えるシステムを提供する。
【０００７】
また、前記表示制御手段は、２以上のグループが指定された場合には、当該２以上のグループを識別する識別情報の各々に対応付けられた前記評価情報を比較可能な態様で表示させてもよい。
さらに、前記ユーザが属するグループは、特定のグループとそれ以外のグループとに分けられ、前記表示制御手段は、指定されたグループが前記特定のグループでない場合には、当該指定されたグループを識別する識別情報に対応付けられた前記評価情報と前記特定のグループを識別する識別情報に対応付けられた前記評価情報との違いを表す情報を表示させてもよい。
【０００８】
また、写真を撮影する撮影手段を備え、前記受付手段は、撮影された前記写真を表示手段に表示させ、前記ユーザが当該写真内の第１の位置を指示し、当該第１の位置から第２の位置まで指示する位置を移動させる操作を行った場合に、当該第２の位置から当該第１の位置の方を指す矢印を表示させると共に、当該移動させる操作を、前記評価情報を入力する操作として受け付け、前記記憶手段は、前記移動させる操作が終わったときに表示されている前記矢印を重畳させた前記写真を表す情報を前記評価情報として記憶してもよい。
さらに、前記受付手段は、前記矢印の近辺に当該矢印に対応する記号を表示させ、当該記号を含む領域を表示させるとともに、当該領域にユーザがコメントを作成する操作を、前記評価情報を入力する操作として受け付け、前記記憶手段は、前記記号と、前記領域に作成されたコメントを当該記号に対応するコメントとして表す情報を前記評価情報として記憶してもよい。
【０００９】
また、前記受付手段は、前記評価情報としてコメントを作成する操作が行われる際に、当該評価情報に用いられる語句として定められた文字列を表示手段に表示させ、表示させた当該文字列がユーザによって選択された場合に、当該文字列を選択する操作を、前記評価情報を入力する操作として受け付けてもよい。
さらに、前記所定の事柄は複数の種類に分類され、前記受付手段は、評価される事柄の種類に応じた前記文字列を表示手段に表示させてもよい。
【００１０】
本発明は、コンピュータを、所定の事柄を評価するための語句又は記号のうちユーザが選択したものを表す情報を前記事柄に関してユーザが行った評価を表す評価情報として入力する操作を受け付ける受付手段と、受け付けられた前記操作により入力された前記評価情報を、当該評価情報を入力する操作を行ったユーザが属するグループを識別する識別情報に対応付けて記憶する記憶手段と、１以上のグループが指定されると、指定されたグループを識別する識別情報に対応付けて記憶された前記評価情報を前記記憶手段から読み出して表示手段に表示させる表示制御手段として機能させるためのプログラムを提供する。
【発明の効果】
【００１１】
本発明によれば、他のユーザが行った評価を自分が行う評価の参考にしやすくすることができる。
【図面の簡単な説明】
【００１２】
【図１】実施形態に係る医療情報システムの全体構成を表す図
【図２】サーバ装置のハードウェア構成を表す図
【図３】タブレット端末のハードウェア構成を表す図
【図４】デスクトップ端末のハードウェア構成を表す図
【図５】医療情報システムにおいて実現される機能構成を表す図
【図６】評価事項を選択するための画像の一例を表す図
【図７】選択された評価事項を評価するための画像の一例を表す図
【図８】評価情報を入力するための画像の一例を表す図
【図９】矢印の画像を作成する手順の一例を表す図
【図１０】コメントを作成するための画像の一例を表す図
【図１１】記憶された各種の情報の一例を表す図
【図１２】グループ及び表示方法を指定するための画像の一例を表す図
【図１３】グラフで表示された評価情報の一例を表す図
【図１４】評価情報が記憶されるまでの各装置の動作の手順の一例を表す図
【図１５】評価情報がユーザに提供されるまでの各装置の動作の手順の一例を表す図
【図１６】変形例で実現される機能構成の例を表す図
【図１７】比較可能な態様で表示された評価情報の一例を表す図
【図１８】比較可能な態様で表示された評価情報の他の一例を表す図
【図１９】表示された相違情報の一例を表す図
【発明を実施するための形態】
【００１３】
［１］実施形態
［１−１］全体構成・ハードウェア構成
図１は実施形態に係る医療情報システム１の全体構成を表す。医療情報システム１は、医療に関する情報を、自システムのユーザである医師や看護師などの医療従事者に提供するためのシステムである。医療情報システム１は、本実施形態では、感染症の蔓延を予防するための取り組みである環境ラウンドにおいて用いられる。
【００１４】
環境ラウンドでは、感染症を引き起こす病原体が人から人へ伝播しにくい環境が維持されているか否かを判断するため、医療従事者の手指の衛生状況や防護具の使用状況といった所定のいくつかの事柄を医療従事者、すなわち医療情報システム１のユーザが評価する。このようにユーザによって評価される所定の事柄のことを以下では「評価事項」という。この評価は、医師や看護師だけでなく、療法士、薬剤師、微生物検査技師、研修医、看護助手、リンクナース、医学生など、様々な職種のユーザによって行われる。そのため、ユーザによっては、どのような点に注意して評価すればよいのかを詳しく知らない場合もある。医療情報システム１は、そのようなユーザであってもより適切な評価を行うことができるようにするための情報を提供する。
【００１５】
医療情報システム１は、ネットワーク２と、アクセスポイント３と、サーバ装置１０と、タブレット端末２０と、デスクトップ端末３０とを備える。ネットワーク２は、装置間のデータのやり取りを仲介するシステムであり、例えば、医療施設内に設けられたＬＡＮ（Local Area Network）である。ネットワーク２にはアクセスポイント３、サーバ装置１０及びデスクトップ端末３０が有線で接続されている。アクセスポイント３は、無線ＬＡＮの通信を行う通信装置であり、自装置と無線ＬＡＮの通信を行う装置とネットワーク２に接続された装置とのデータのやり取りを仲介する。
【００１６】
タブレット端末２０は、ユーザが利用する装置であり、無線ＬＡＮの通信をアクセスポイント３と行って、ネットワーク２に接続された装置とデータをやり取りする。タブレット端末２０は、持ち運びが可能な大きさ及び重さの装置であり、タッチパネルを用いた直観的な操作を受け付ける。そのため、環境ラウンドを行うユーザ、すなわち上記の評価を行うユーザは、タブレット端末２０を持ち運び、病室や流し、トイレ、浴室など、評価の対象となっている場所を訪れて、タブレット端末２０に対して評価を入力する。
【００１７】
こうして手指の衛生状況や防護具の使用状況などの評価事項に関してユーザが行った評価を表す情報（以下「評価情報」という）は、タブレット端末２０からアクセスポイント３を介してサーバ装置１０に集められる。また、タブレット端末２０は、画像を表示する表示手段を備え、医療情報システム１において提供される情報（評価情報はその一例）を表示して、ユーザにその情報を伝達する。なお、図１の例ではタブレット端末２０を１台のみ表しているが、２台以上のタブレット端末２０が利用されてもよい。
【００１８】
デスクトップ端末３０は、ユーザが利用する装置であり、ネットワーク２を介してサーバ装置１０とデータをやり取りする。デスクトップ端末３０も、タブレット端末２０と同様に表示手段を備えており、提供される情報を表示してユーザに伝達する。また、デスクトップ端末３０も２台以上利用されてもよい。
サーバ装置１０は、例えば医療情報システム１の管理者が運用する装置であり、タブレット端末２０及びデスクトップ端末３０とデータをやり取りする。サーバ装置１０は、前述のとおり集めた評価情報を、例えばユーザからの要求に応じてタブレット端末２０またはデスクトップ端末３０を介してユーザに提供する。
【００１９】
図２は、サーバ装置１０のハードウェア構成を表す。サーバ装置１０は、制御部１１と、記憶部１２と、通信部１３とを備えるコンピュータである。制御部１１は、ＣＰＵ（Central Processing Unit）、ＲＯＭ（Read Only Memory）、ＲＡＭ（Random Access Memory）及びリアルタイムクロックを備えている。ＣＰＵは、ＲＡＭをワークエリアとして用いてＲＯＭや記憶部１２に記憶されたプログラムを実行することによって記憶部１２及び通信部１３の動作を制御する。リアルタイムクロックは、現在の日時を算出する分類機能を有している。記憶部１２は、ハードディスク等を備え、制御部１１が制御に用いるデータやプログラムなどを記憶する。通信部１３は、ネットワーク２を介して通信を行うための通信回路を備え、ネットワーク２を介したデータの送信及び受信を行う。
【００２０】
図３は、タブレット端末２０のハードウェア構成を表す。タブレット端末２０は、制御部２１と、記憶部２２と、表示部２３と、操作部２４と、無線通信部２５と、撮影部２６とを備えるコンピュータである。制御部２１は制御部１１と同種のハードウェアである。記憶部２２は、フラッシュメモリ等を備え、制御部２１が制御に用いるデータやプログラムを記憶する。表示部２３は、例えば液晶ディスプレイを有し、制御部２１が行う制御に基づいて表示面に画像を表示する表示手段である。
【００２１】
操作部２４は、表示部２３の表示面に重ねて設けられたタッチセンサ等の操作子を備え、ユーザの操作に応じてその操作の内容を表す操作データを制御部２１に供給する。無線通信部２５は、無線ＬＡＮの通信を行うための通信回路を備え、アクセスポイント３と無線通信を行う。撮影部２６は、例えばデジタルカメラとしての機能を有し、ユーザの操作に応じて写真を撮影する。撮影部２６は、制御部２１により制御されて写真を撮影し、撮影した写真を示す写真データを生成する。
【００２２】
図４は、デスクトップ端末３０のハードウェア構成を表す。デスクトップ端末３０は、制御部３１と、記憶部３２と、表示部３３と、操作部３４と、通信部３５とを備えるコンピュータである。制御部３１は制御部１１と、記憶部３２は記憶部１２と、表示部３３は表示部２３と、それぞれ同種のハードウェアである。操作部３４は、キーボード及びマウス等の操作子を備え、ユーザの操作に応じてその操作の内容を表す操作データを制御部３１に供給する。通信部３５は通信部１３と同種のハードウェアである。
【００２３】
［１−２］機能構成
サーバ装置１０、タブレット端末２０及びデスクトップ端末３０の各記憶部には、評価情報をユーザに提供するための機能を実現するためのプログラムが記憶されており、このプログラムが実行されることで以下に述べる機能が実現される。
図５は医療情報システム１において実現される機能構成を表す。医療情報システム１は、撮影手段１０１と、受付手段１０２と、記憶手段１０３と、指定手段１０４と、表示制御手段１０５とを備える。撮影手段１０１は写真を撮影する手段であり、図３に示すタブレット端末２０の撮影部２６により実現される。撮影手段１０１は撮影した写真を示す写真データを生成すると、その写真データを受付手段１０２に供給する。
【００２４】
受付手段１０２は、各種の情報を入力する操作（以下「入力操作」という）を受け付ける手段である。本実施形態では、受付手段１０２がタブレット端末２０によって実現される。受付手段１０２は、入力操作を受け付けた情報をデータ（例えばテキストデータ）に変換し、自装置やサーバ装置１０等の装置で演算や記憶、通信などの処理を施せる状態にする。受付手段１０２は、例えば、上述した評価情報（評価事項に関してユーザが行った評価を表す情報）の入力操作を受け付ける。受付手段１０２は、入力操作を受け付けるための画像を表示手段（図３に示す表示部２３）に表示させる。以下、図６から図１０までを参照して、入力操作を受け付けるための画像について説明する。
【００２５】
図６は評価事項を選択するための画像の一例を表す。図６の例では操作子Ａ１、Ａ２、Ａ３及びＡ４が表示部２３に表示されている。操作子Ａ１、Ａ２、Ａ３及びＡ４には、「手指衛生」、「防護具」、「身だしなみ」及び「環境整備」という環境ラウンドにおいて評価するように定められた評価事項が対応付けられている。ユーザがいずれかの操作子をタップする（軽く叩く）操作を行うと、その操作子が選択されたことになり、選択された操作子に対応付けられた評価事項を評価するための画像を受付手段１０２が表示手段に表示させる。以下では、操作子Ａ２（防護具）が選択された場合を説明する。
【００２６】
図７は選択された評価事項を評価するための画像の一例を表す。図７の例では入力欄Ｂ１、Ｂ２、Ｂ３及びＢ４が表示部２３に表示されている。入力欄Ｂ１、Ｂ２、Ｂ３及びＢ４には、「日付」、「場所」、「職種」及び「評価者」という４つの項目の情報をそれぞれ入力するための領域を表す画像である。タブレット端末２０はユーザに文字を入力させる機能を有しており、ユーザがこの機能を用いて各入力欄に文字列を入力する操作を行うと、受付手段１０２がその入力操作を受け付けて入力された各項目の情報を表示手段に表示させる。このうちの職種（図７の例では「看護師」）は、上述した識別情報（ユーザが属するグループを識別する情報）として用いられる。
【００２７】
なお、各項目で入力され得る情報がリストになっていて、そのリストから入力する情報をユーザが選択する操作が入力操作として行われてもよい。表示部２３には「戻る」という文字列を含む操作子Ａ１１と「次へ」という文字列を含む操作子Ａ１１とが表示されている。操作子Ａ１１をユーザがタップすると図６に示す画像が表示されて評価事項を選択し直すことができる。操作子Ａ１２をユーザがタップすると評価情報を入力するための画像を受付手段１０２が表示手段に表示させる。
【００２８】
図８は評価情報を入力するための画像の一例を表す。図８の例ではタブＣ１、Ｃ２、Ｃ３、Ｃ４、Ｃ５及びＣ６が表示部２３に表示されている。タブＣ１、Ｃ２、Ｃ３、Ｃ４、Ｃ５及びＣ６は、「基本」、「手袋」、「ガウン」、「サージカルマスク」、「Ｎ９５マスク」及び「ゴーグル」という、「防護具」という評価事項をさらに細分化した詳細な項目をそれぞれ表す画像である。この例ではタブＣ２が選択されており、「手袋」が衛生的な使われ方をされているか否かを表す評価情報を入力するための画像が表示されている。
【００２９】
具体的には、「血液やその他の感染性物質、粘膜、損傷のある皮膚、汚染の可能性がある皮膚に接触する場合は手袋を着用している。」という当否（正しいか正しくないか）を問う質問文Ｄ１と、その質問が正しい場合に選択される操作子Ａ２１と、その質問が正しくない場合に選択される操作子Ａ２２とが表示されている。操作子Ａ２１には「○」という記号が表されており且つこの記号が対応付けられている。操作子Ａ２２には「×」という記号が表されており且つこの記号が対応付けられている。
【００３０】
ユーザは、質問文Ｄ１のとおりに手袋が着用されていると判断した場合には「○」、すなわち操作子Ａ２１を選択し、そうでないと判断した場合には「×」、すなわち操作子Ａ２２を選択する。受付手段１０２は、これらの操作子を選択する操作を評価情報の入力操作として受け付け、選択された操作子が見分けられるようにそれまでとは異なる態様で（例えば色を変えて）表示手段に表示させる。選択された操作子に対応付けられている記号は評価情報として用いられる。
【００３１】
表示部２３には、前述した撮影手段１０１が撮影した写真を表示する写真欄Ｂ２１と、撮影手段１０１に写真の撮影を実行させるシャッターボタンとして機能する操作子Ａ２３とが表示されている。ユーザが操作子Ａ２３を押す操作を行うと上述した撮影手段１０１が写真を撮影してその写真を示す写真データを受付手段１０２に供給する。受付手段１０２は、操作子Ａ２３を押す操作を評価情報の入力操作として受け付け、供給された写真データが示す写真を表示手段の写真欄Ｂ２１に表示させる。この写真も評価情報として用いられる。
【００３２】
表示された写真の中でも特に指し示したい部分がある場合、ユーザはその部分を指し示す矢印の画像を作成することができる。
図９は矢印の画像を作成する手順の一例を表す。図９では図８の写真欄Ｂ２１に表示された写真Ｐ１が表されている。写真Ｐ１には、Ｓ、Ｍ、Ｌという３サイズの手袋をそれぞれ収納する引き出しのうち、Ｌサイズの引き出しを開けたところ空であった様子が写っている。ユーザは、Ｌサイズの手袋が切れていることが問題であり、その点を指摘するためにＬサイズの引き出しの内部を矢印で指し示したいと考えているものとする。
【００３３】
この場合、ユーザは、まず、図９（ａ）で表されているように写真Ｐ１内のＬサイズの引き出し付近の第１の位置Ｅ１を指示し、指示する位置が引き出しから遠ざかるように移動させる操作、すなわちドラッグの操作を行う。ドラッグの操作が行われると、受付手段１０２は、図９（ｂ）で表されているように、移動中の指示位置（ユーザが指示している位置）Ｅ１１から第１の位置Ｅ１の方を指す矢印Ｆ１１を表示手段に表示させる。矢印Ｆ１１は、指示位置Ｅ１１が移動するにつれて長さ及び向きが変化する。ユーザは、表示される矢印を見ながら矢印の長さ及び向きを調節し、よいと思ったところ（この例では図９（ｃ）で表された第２の位置Ｅ２）で指を離してドラッグの操作を終了する。
【００３４】
受付手段１０２は、以上のようにユーザが写真Ｐ１内の第１の位置Ｅ１を指示し、指示する位置を第１の位置Ｅ１から第２の位置Ｅ２まで移動させる操作を行った場合に、この操作を評価情報の入力操作として受け付け、図９（ｃ）に表されているように、第２の位置Ｅ２から第１の位置Ｅ１の方を指す矢印Ｆ１を写真Ｐ１に重畳させて表示させる。この場合、矢印Ｆ１が重畳された写真Ｐ１が評価情報として用いられる。
【００３５】
写真内の対象物を矢印で指し示す場合、矢印の先端がその対象物に重ならず且つなるべく近くに配置されることが望ましい。そうすると対象物に矢印が重なって見にくくなることもなく、且つ、矢印がその対象物を指し示すことが伝わりやすくなるからである。本実施形態では、矢印の先端が配置される位置、すなわち第１の位置Ｅ１を先に指示するため、矢印の後端が配置される位置を先に指示する場合に比べて、前述した望ましい位置に矢印の先端を容易に配置することができる。また、矢印の長さや方向もドラッグの操作を行いながら変えることができるため、適切な長さ及び方向の矢印となるように調節しやすい。
【００３６】
また、受付手段１０２は、ドラッグの操作が終了したあと、矢印Ｆ１の近辺にこの矢印Ｆ１に対応する記号Ｆ２を、図９（ｄ）に表されているように表示させる。図９の例では、「（１）」という数値を含む記号Ｆ２が表示されている。この例では、ユーザが、記号Ｆ２に対応する矢印Ｆ１が指し示す対象物、すなわちＬサイズの引き出しについてのコメントを作成するものとする。受付手段１０２は、図８に示すコメント欄Ｂ２２を表示させている。このコメント欄Ｂ２２をユーザが選択すると、受付手段１０２はコメントを作成するための画像を表示手段に表示させる。
【００３７】
図１０はコメントを作成するための画像の一例を表す。図１０の例では、受付手段１０２が、評価情報としてコメントを作成する操作が行われる際に、コメント作成欄Ｂ３１と、キーボード画像Ａ３１と、変換候補Ａ３２と、評価用の語句Ａ３３とを表示部２３に表示させる。コメント作成欄Ｂ３１は、ユーザが作成したコメントが表示される領域である。図１０では、作成途中のコメントＧ１が表示されている。受付手段１０２は、コメント作成欄Ｂ３１を表示手段に表示させると、コメント作成欄Ｂ３１に記号Ｆ２（この例では「（１）」）を表示させる。つまり、コメント作成欄Ｂ３１に表示されている文字列のうち、「（１）」という記号Ｆ２はユーザがコメントＧ１の作成を開始する前から表示されており、コメントＧ１を形成する他の文字列はユーザが入力することで表示される。
【００３８】
このように、図９に示す写真Ｐ１に重畳させた記号Ｆ２をコメント作成欄Ｂ３１にも表示させることで、ユーザが矢印Ｆ１で指し示した対象物（この例ではＬサイズの引き出し）についてコメントを作成するように促すことができる。また、受付手段１０２は、複数の対象物がそれぞれ矢印で指し示された場合には、各矢印に対応する互いに異なる記号を表示させる。例えば記号Ｆ２「（１）」の次の記号としては「（２）」を表示させる。これにより、どのコメントがどの対象物について作成されたものであるかを明らかにすることができる。
【００３９】
そして、受付手段１０２は、この記号Ｆ２に対応するコメント（図１０の例ではコメントＧ１）を作成する操作を、評価情報の入力操作として受け付ける。記号Ｆ２に対応するコメントとは、図１０の例では、記号Ｆ２に続けて改行することなく作成されたコメントのことをいう。なお、これは一例であり、他にも、例えばコメント作成欄が複数表示され、記号Ｆ２と同じコメント作成欄に作成されることを対応するコメントとしてもよいし、記号Ｆ２と同じ「」（鉤括弧）等に挟まれたものを対応するコメントとしてもよい。
【００４０】
キーボード画像Ａ３１はコメントを形成する文字列を入力するための操作子を表し、変換候補Ａ３２は入力された文字列の変換候補を表す。受付手段１０２は、ユーザが変換候補Ａ３２からいずれかを選択すると、選択された変換候補をコメント作成欄Ｂ３１に表示させる。
【００４１】
評価用の語句Ａ３３は、評価情報に用いられる語句として定められた文字列を表す。図１０の例では、受付手段１０２は、「防護具」の「手袋」の評価情報に用いられる評価用の語句として、「交換」、「サイズ」、「破損」、「汚染」及び「素材」という文字列を表示させている。これらは評価用の語句の一部であり、図中のスクロールバーをスクロールさせることでさらに他の文字列が表示される。受付手段１０２は、表示させた文字列を選択する操作を、評価情報の入力操作として受け付ける。受付手段１０２は、この操作を受け付けると、選択された文字列をコメント作成欄Ｂ３１に表示させる。
【００４２】
このように受付手段１０２が評価用の語句を表示させてユーザに選択させることで、文字列の変換のみを行う場合に比べて、評価情報となるコメントを作成しやすくすることができる。また、コメントさせたい内容に応じた文字列を表示させることで、その内容を表すコメントが作成されやすいようにすることができる。図１０の例であれば、手袋が交換されているか、サイズが合っているか、破損した手袋が使われていないか、といったコメントが作成されやすくなる、という具合である。
【００４３】
環境ラウンドでは、上記の「防護具」の「手袋」以外にも、図８に示す「基本」及び「ガウン」等の他、図６に示す「手指衛生」、「身だしなみ」、「環境整備」など、評価事項が複数の種類に分類されている。そこで、受付手段１０２は、評価事項の種類に応じた文字列を表示手段に表示させる。例えば「手指衛生」の「全般」という種類の評価事項であれば、受付手段１０２は、「消毒」、「アルコール」、「固形石鹸」及び「流体石鹸」等の文字列を表示させる、といった具合である。これにより、評価事項の種類にかかわらず、コメントを作成しやすくすることができる。
【００４４】
図８の例では、表示部２３に「戻る」という文字列を含む操作子Ａ２４と「送信」という文字列を含む操作子Ａ２５とが表示されている。操作子Ａ２４をユーザがタップすると図７に示す画像が表示されて日付等を入力し直すことができる。操作子Ａ２５をユーザがタップすると、受付手段１０２は、以上のとおり入力操作を受け付けた情報（日付、場所、職種、評価者、評価情報）と、その入力操作によって評価される評価事項とを含む各種の情報を表す入力データをサーバ装置１０に送信する。サーバ装置１０が受信した入力データは記憶手段１０３に供給される。
【００４５】
記憶手段１０３は、上記のとおり供給された入力データが表す各種の情報を互いに対応付けて記憶する。本実施形態では記憶手段１０３がサーバ装置１０によって実現される。
図１１は記憶された各種の情報の一例を表す。図１１の例では、「日付」、「場所」、「職種（識別情報）」、「評価者」、「評価事項」及び「評価情報」が互いに対応付けられている。このように、記憶手段１０３は、受付手段１０２が受け付けた操作により入力された評価情報を、その評価情報の入力操作を行ったユーザの識別情報（本実施形態では職種）に対応付けて記憶する手段である。
【００４６】
図１１の例では、「看護師」の「甲」が、「２０１４年８月５日」の「救急病棟」における「防護具」の「手袋」については、図８に示す質問文Ｄ１で問われた質問が「×」（正しくない）であり、「ｙｙ．ｊｐｇ」というファイル名の写真と、「ｚｚ．ｔｘｔ」というファイル名のコメントとを評価情報とする入力操作を行ったことが表されている。この写真は、例えば図９（ｄ）に示す写真である。その場合、記憶手段１０３は、図９に示す第２の位置Ｅ２から第１の位置Ｅ１の方を指す矢印Ｆ１を重畳させた写真を表す評価情報を記憶する。
【００４７】
また、このコメントは、例えば図１０に示すコメントＧ１である。その場合、記憶手段１０３は、記号Ｆ２及び記号Ｆ２に対応するコメントＧ１を表す評価情報を記憶する。記憶手段１０３は、こうして記憶した各種の情報をタブレット端末２０やデスクトップ端末３０から要求されると、要求された情報を読み出し、読み出した情報を表す読出データを要求元の端末に対して送信する。
【００４８】
指定手段１０４は、評価情報を表示するグループ及びその表示方法を指定し、指定したとおりに評価情報を表示することを要求する手段である。ここでいうグループとは、上述した識別情報によって識別されるグループであり、本実施形態ではユーザの職種である。本実施形態では指定手段１０４がタブレット端末２０及びデスクトップ端末３０によってそれぞれ実現される。以下ではタブレット端末２０が指定手段１０４を実現する場合について説明する。指定手段１０４は、例えばユーザによって指定されたグループ及び表示方法を、評価情報を表示するグループ及びその表示方法として指定する。指定手段１０４は、ユーザがこの指定を行うための画像を表示手段に表示させる。
【００４９】
図１２はグループ及び表示方法を指定するための画像の一例を表す。指定手段１０４は、入力欄Ｂ４１と、操作子Ａ４１及びＡ４２とを表示手段である表示部２３に表示させている。入力欄Ｂ４１はユーザが職種を入力するための領域であり、ユーザは自分が指定したい職種を入力欄Ｂ４１に入力する。その際、例えば読点や中点で区切ることで２以上の職種を入力してもよい。指定手段１０４は、このように入力欄Ｂ４１に入力された１以上のグループを、評価情報を表示するグループとして指定する。
【００５０】
操作子Ａ４１及びＡ４２は評価情報の表示方法を指定するためのものであり、操作子Ａ４１は評価情報を一覧で表示させる表示方法を表し、操作子Ａ４２は評価情報をグラフで表示させる表示方法を表す。指定手段１０４は、選択された操作子が表す表示方法を指定する。指定手段１０４は、以上のとおりグループ及び表示方法を指定し、指定したとおりに評価情報を表示させることを表示制御手段１０５に要求する。
【００５１】
表示制御手段１０５は評価情報を表示手段に表示させる手段であり、指定手段１０４と同様にタブレット端末２０及びデスクトップ端末３０によってそれぞれ実現される。以下ではタブレット端末２０が表示制御手段１０５を実現する場合について説明する。表示制御手段１０５には指定手段１０４から指定された職種が通知される。表示制御手段１０５は、指定手段１０４によりグループが指定されると、指定されたグループを識別する識別情報に対応付けて記憶された各種の情報をサーバ装置１０に要求する。
【００５２】
サーバ装置１０の記憶手段１０３は、要求された各種の情報を読み出し、それらの情報を示す読出データを要求元であるタブレット端末２０に送信する。タブレット端末２０が受信した読出データは表示制御手段１０５に供給される。こうして供給された読出データが示す評価情報は、指定手段１０４により指定された１以上のグループを識別する識別情報に対応付けて記憶された評価情報となる。表示制御手段１０５は、この評価情報を指定手段１０４により指定された表示方法で表示手段に表示させる。
【００５３】
表示制御手段１０５は、一覧で表示させる表示方法が指定された場合には、図１１に表された日付、場所、評価事項及び評価情報のうち、指定されたグループを識別する識別情報、すなわち指定された職種に対応付けられているものを一覧にして表示させる。これにより、ユーザは、指定したグループのユーザが具体的にどのような評価を行っているかということを知ることができる。なお、表示制御手段１０５は、この一覧を並び替えて（いわゆるソートをして）表示させたり、特定の条件を満たす評価情報を抽出して（いわゆるフィルタリングをして）表示させたりしてもよい。これにより、ユーザは、指定したグループのユーザがどのような評価を多くしており、どのような評価をあまりしていないのかを知ることができる。
【００５４】
また、表示制御手段１０５は、グラフで表示させる表示方法が指定された場合には、例えば図１３に示すようなグラフを表示させる。
図１３はグラフで表示された評価情報の一例を表す。この例では、職種が「看護師」で評価事項が「防護具」である場合に、「基本」、「手袋」及び「ガウン」について評価された結果が０％から１００％までの数値（以下「評価の数値」という）で表され、その評価の数値が１週間毎に変化する様子が折れ線グラフで表されている。この評価の数値は、例えば「日付」が同じで「看護師」、「防護具」及び「基本」に対応付けられた全ての評価情報のうち、質問の当否が「○」であった評価情報の割合で表される。
【００５５】
この例の「８／２６」のように該当する評価情報がなかった（つまりその週は看護師による評価が行われなかった）場合には、その前後の日付における評価の数値を示す点を結んだ折れ線で表している。なお、この例では評価事項毎の評価の数値をグラフ化したが、これに限らず、例えば場所毎の評価の数値をグラフ化してもよいし、評価者毎の評価の数値をグラフ化してもよい。いずれの場合も、評価の数値の時系列での変化の様子をグラフで表すことで、評価の数値の変化の傾向（例えば評価が向上しているなど）を把握することができる。
【００５６】
［１−３］動作
医療情報システム１は、以上の構成に基づき、評価情報をユーザに提供する提供処理を行う。以下では、提供処理において医療情報システム１が備える各装置が行う動作の手順について、図１４及び図１５を参照して説明する。
【００５７】
図１４は評価情報が記憶されるまでの各装置の動作の手順の一例を表す。この手順は、例えば上述した評価情報をユーザに提供するための機能を実現するためのプログラムがタブレット端末２０で起動されることを契機として開始される。まず、タブレット端末２０が、例えば図６に示す各操作子を表示して、評価事項を選択する操作を受け付ける（ステップＳ１１）。次に、タブレット端末２０は、例えば図７に示す各入力欄を表示して、識別情報等の入力操作を受け付ける（ステップＳ１２）。
【００５８】
続いて、タブレット端末２０は、図８から図１０までに示す各画像を表示して、評価情報の入力操作を受け付ける（ステップＳ１３）。そして、タブレット端末２０は、図８に示す操作子Ａ２５に対する操作を、評価情報等をサーバ装置１０に対して送信する操作として受け付けると（ステップＳ１４）、入力操作を受け付けた情報を含む各種の情報を表す入力データをサーバ装置１０に送信する（ステップＳ１５）。ステップＳ１１からＳ１５までの動作は受付手段１０２が行う。なお、ステップＳ１３の動作は撮影手段１０１が協働する場合もある。
【００５９】
サーバ装置１０は、ステップＳ１５で入力データを受信すると、入力データが表す各種の情報を図１１に示すように互いに対応付けて記憶する。その際、サーバ装置１０は、評価情報及び識別情報を互いに対応付けて記憶する（ステップＳ２１）。ステップＳ２１の動作は記憶手段１０３が行う。ステップＳ１１からステップＳ２１までの動作は、ユーザが環境ラウンドの活動を行って、評価事項を評価する度に繰り返し行われる。
【００６０】
図１５は評価情報がユーザに提供されるまでの各装置の動作の手順の一例を表す。この手順は、上記プログラムがタブレット端末２０で起動されるか、同様のプログラムがデスクトップ端末３０で起動されることを契機として開始される。例えばユーザがタブレット端末２０で評価情報を表示させる場合には、まず、タブレット端末２０が、ユーザの操作に基づいて、グループ及び表示方法を指定すると（ステップＳ３１）、指定したグループを識別する識別情報に対応付けて記憶された各種の情報をサーバ装置１０に要求する（ステップＳ３２）。
【００６１】
サーバ装置１０は、ステップＳ３２で要求された各種の情報を読み出し、それらの情報を示す読出データをタブレット端末２０に送信する（ステップＳ３３）。タブレット端末２０は、ステップＳ３３で読出データを受信すると、受信した読出データが示す評価情報をステップＳ３１で指定された表示方法で表示する（ステップＳ３４）。ステップＳ３１の動作は指定手段１０４が行い、ステップＳ３２及びＳ３４の動作は表示制御手段１０５が行う。また、ステップＳ３３の動作は記憶手段１０３が行う。
【００６２】
ユーザがデスクトップ端末３０で評価情報を表示させる場合には、タブレット端末２０が行うステップＳ３１、Ｓ３２及びＳ３４と同様の動作を、デスクトップ端末３０がステップＳ４１、Ｓ４２及びＳ４４で行う。また、サーバ装置１０は、ステップＳ４２で各種の情報が要求されると、ステップＳ３３と同様の動作をステップＳ４３で行う。以上のとおり、評価事項の評価はタブレット端末２０を用いて行われるが、その結果である評価情報の表示は、タブレット端末２０だけでなくデスクトップ端末３０でも行うことができる。なお、サーバ装置１０は、記憶した識別情報及び評価情報を含む各種の情報を、例えばＣＳＶ（Comma-Separated Values）形式のデータにして、写真のデータと合わせて出力するようにしてもよい。これにより、例えばデスクトップ端末３０のユーザが表計算ソフトや画像を表示するソフトなどを用いて評価情報を詳細に分析することができる。
【００６３】
本実施形態では、自分が行った評価だけでなく、他のユーザが行った評価を表す評価情報も表示させることができる。また、その際に、グループが共通するユーザの評価情報をまとめて表示させることができる。本実施形態のように職種をグループとして用いると、グループが共通するユーザは、感染症の予防に関する知識や感染症の予防に対する姿勢が共通になりやすく、その結果、評価の傾向も似たものになりやすい。
【００６４】
例えば微生物検査技師は知識が十分にあり、感染症の予防に熱心であるため、厳しく評価する傾向になりやすい。一方、研修医は知識が不十分であり、他の作業も多くあるため感染症の予防に時間を割くことが難しく、甘く評価する傾向になりやすい。本実施形態によれば、そのように評価の傾向が似たユーザの評価情報を表示させることで、他のユーザが行った評価を自分が行う評価の参考にしやすくすることができる。
【００６５】
［２］変形例
上述した実施形態は本発明の実施の一例に過ぎず以下のように変形させてもよい。また、上述した実施形態及び以下に示す各変形例は必要に応じて組み合わせて実施してもよい。
【００６６】
［２−１］各機能を実現する装置
図５に示す各機能は、実施形態とは異なる装置によって実現されてもよい。
図１６は本変形例で実現される機能構成の例を表す。図１６（ａ）では、図５に示す５つの手段を全て備えるタブレット端末２０ａが表されている。この場合、タブレット端末２０ａが、図５に示す医療情報システム１と同様の手段を実現するシステムとして機能する。評価を行うユーザが少なく、全員で１台のタブレット端末を共有できる場合には、タブレット端末２０ａを用いることで、サーバ装置を設けなくても実施形態と同様に評価情報をユーザに提供することができる。また、この場合、実施形態でも述べたように、タブレット端末２０ａが各種の情報をＣＳＶ形式のデータで出力できるようにしておくと、多くのユーザが評価情報を参考にしたり分析したりするのに便利である。
【００６７】
図１６（ｂ）では、指定手段１０４及び表示制御手段１０５に加え、受付手段１０２を備えるデスクトップ端末３０ｂが表されている。例えば医療情報システムが導入される前に紙に記入された評価情報（質問の当否やコメント）があり、それらの評価情報も活用したい場合に、その紙を見ながらデスクトップ端末３０ｂに対して評価情報の入力操作を行うことで、評価情報をデータ化して実施形態と同様に活用することができるようになる。
【００６８】
なお、上記の例ではタブレット端末及びデスクトップ端末が入力操作を受け付けたり評価情報を表示したりする装置として用いられたが、これに限らず、例えばスマートフォンや携帯電話機、ノートパソコン、ＰＤＡ（Personal Digital Assistant）など、ユーザが端末として一般的に利用している装置であれば、どのような装置が用いられてもよい。
【００６９】
［２−２］表示方法１
評価情報を表示する表示方法は、実施形態で述べたものに限らない。例えば、表示制御手段１０５は、２以上のグループが指定された場合に、それら２以上のグループを識別する識別情報の各々に対応付けられた評価情報を比較可能な態様で表示させる。
図１７は比較可能な態様で表示された評価情報の一例を表す。この例では、比較対象である「看護師」と「研修医」とが入力操作を行った評価情報が並べて表示されている。
【００７０】
これらの評価情報は、比較対象である「看護師」及び「研修医」に対応付けられ、且つ、比較条件として定められた「手袋（防護具）」という評価事項、「２０１４年」という日付、「全病棟」という場所に対応付けて記憶手段１０３が記憶しているものである。そのような比較情報が複数ある場合には、表示制御手段１０５は、各比較情報の評価の数値の平均値を算出し、算出した平均値を「評価の数値」として表示する。
【００７１】
また、写真やコメントが評価情報として記憶されている場合には、表示制御手段１０５は、写真やコメントの有無とともに、それらがある場合にはその写真やコメントへのハイパーリンク（図１７の例では「あり」という文字列）を表示させる。ユーザはこのハイパーリンクを表示させることで、写真やコメントの詳細を知ることができる。比較対象や比較条件は変更することができる。表示制御手段１０５は、これらが変更されると、変更された比較対象や比較条件に対応付けられて記憶されている評価情報を表示させる。これにより、上記のような比較可能な態様で表示しない場合に比べて、ユーザは、指定した２以上のグループに属するユーザが行った評価情報を容易に比較することができる。
【００７２】
なお、比較可能な態様は上記のものに限らない。
図１８は比較可能な態様で表示された評価情報の他の一例を表す。この例では、図１７の例と同様に、比較対象である職種「看護師」及び「研修医」に対応付けられ、且つ、比較条件として定められた「手袋（防護具）」という評価事項、「２０１４年」という日付、「全病棟」という場所に対応付けて記憶手段１０３が記憶している評価情報が、比較対象及び比較条件に対応付けた一覧で表されている。表示制御手段１０５がこの一覧をソートやフィルタリングして表示させることで、ユーザは、指定した２以上のグループに属するユーザが行った評価情報を容易に比較することができる。
【００７３】
また、上記の例では比較対象が２つのグループであったが、３以上のグループを比較対象としてもよいし、比較条件を上記の例よりも減らしたり、増やしたりしてもよい。例えば各比較対象の評価情報を図１３に示すようなグラフで表し、それらを並べて表示する態様を、比較可能な態様としてもよい。また、比較対象毎に比較条件を異ならせてもよい。例えば「看護師」については２０１３年の評価情報が表示され、「研修医」については２０１４年の評価情報が表示されるといった具合である。その場合でも、グループ毎の評価の傾向を比較することは可能である。
【００７４】
［２−３］表示方法２
上記実施形態及び変形例で述べたもの以外の表示方法が用いられてもよい。本変形例では、まず、ユーザが属するグループが、特定のグループとそれ以外のグループとに分けられる。特定のグループとしては、例えば、評価事項を最も適切に評価していると考えられるグループが選ばれる。実施形態で述べた環境ラウンドであれば、例えば微生物検査技師という職種が特定のグループとして選ばれる。
【００７５】
そして、表示制御手段１０５は、指定されたグループが特定のグループでない場合には、指定されたグループを識別する識別情報に対応付けられた評価情報と特定のグループを識別する識別情報に対応付けられた評価情報との違いを表す情報（以下「相違情報」という）を表示させる。
図１９は表示された相違情報の一例を表す。この例では、表示制御手段１０５は、表示部２３の上側に、比較対象（特定の職種である「微生物検査技師」と指定された職種である「研修医」）及び比較条件（日付、場所、写真及びコメントの有無）を表示させている。
【００７６】
そして、表示制御手段１０５は、表示部２３の下側に相違情報として、各評価事項における評価の数値の平均値の差分を表示されている。この例では、研修医は、「身だしなみ」と「環境整備」については評価の数値が微生物検査技師とあまり変わらないが、「手指衛生」及び「防護具」については評価の数値が微生物検査技師に比べて２０〜３０％大きい（つまり評価が甘い）傾向にあることが表されている。このように相違情報が表示されることで、相違情報が表示されない場合に比べて、指定されたグループのユーザによる評価が特定のグループのユーザによる評価と比べてどのように異なるのかということを容易に把握することができる。
【００７７】
なお、比較条件である「写真」及び「コメント」を例えば「あり」とすれば、写真及びコメントを含む評価情報における評価の数値の平均値の差分が表示される。また、表示制御手段１０５は、比較条件を変更することで異なる相違情報を表示させることができる。例えば図１９に示す「場所」に代えて「評価事項」を比較条件として定めることで、場所毎の評価の数値の平均値の差分を相違情報として表示させる、といった具合である。
【００７８】
［２−４］評価事項
評価事項は実施形態で述べたものに限らない。例えば針刺し防止や物品処理、消毒薬、薬品保冷庫、輸液管理、汚物室などが評価事項として定められてもよい。また、医療の感染症の予防以外にも、食品の衛生管理を目的として、厨房の清掃の状況や調理器具の消毒の状況などが評価事項として定められてもよいし、車や機械などの性能を発揮させることを目的として、消耗品の消耗度合やオイルの汚れ具合などが評価事項として定められてもよい。要するに、ユーザが行った評価を何らかの目的のために活用する場合に、その評価を行う事柄が評価事項として定められればよい。
【００７９】
［２−５］評価情報
評価情報は実施形態で述べたものに限らない。例えば実施形態のような質問の当否、すなわち２択の評価を表すのではなく、良、可、不可など３択以上の評価を行ったり、０点から１００点までといった点数で評価を行ったりしてもよい。また、実施形態のような写真やコメントの他に、音声や動画などを評価情報として用いてもよい。
【００８０】
［２−６］グループ
実施形態ではグループの一例として職種を用いたが、これに限らない。例えば勤務先または所属先の病院が共通するグループや年代（２０代、３０代など）が共通するグループ、勤務期間が共通するグループ（若手、中堅、ベテランなど）などが用いられてもよい。また、特定の資格（認定臨床微生物検査技師など）の有無や特定の職務（感染制御チームなど）の経験の有無などで分けられるグループが用いられてもよい。望ましくは、評価事項を適切に評価する能力（評価の仕方についての知識の量や評価を実際に行った経験の多さなどによって左右される能力）の高さが共通しやすいグループが用いられるとよい。医療従事者の職種は、この能力が共通しやすいグループの一例である。
【００８１】
［２−７］識別情報
実施形態では職種の名称が識別情報として用いられたが、これに限らず、例えば職種に対応付けられたＩＤ（Identification）が用いられてもよい。また、ユーザを識別するユーザＩＤと職種とを対応付けた職種テーブルがサーバ装置１０に記憶されていれば、ユーザＩＤを識別情報として用いることもできる。この場合、受付手段１０２がユーザＩＤの入力操作を識別情報の入力操作として受け付け、記憶手段１０３がそのユーザＩＤに職種テーブルにおいて対応付けられた職種を評価情報に対応付けて記憶する。
【００８２】
また、ユーザが１人１台のタブレット端末２０を利用する環境であれば、それらのタブレット端末２０の装置ＩＤやＭＡＣ（Media Access Control address）アドレスが識別情報として用いられてもよい。この場合、識別情報はタブレット端末２０の記憶部２２かＲＯＭに記憶される。そのため、受付手段１０２が識別情報の入力操作を受け付ける必要がなく、タブレット端末２０が例えば上記の入力データをサーバ装置１０に送信する際に識別情報を読み出してその入力データに付加すればよい。
【００８３】
［２−８］発明のカテゴリ
本発明は、実施形態等で述べたサーバ装置、タブレット端末及びデスクトップ端末という各装置の他にも、図５に示す各手段を実現する各種の装置としても捉えられるし、それらの装置を備える医療情報システムのようなシステムとしても捉えられる。また、本発明は、それらの装置が実施する処理を実現するための情報処理方法としても捉えられるし、それらの装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【符号の説明】
【００８４】
１…医療情報システム、２…ネットワーク、３…アクセスポイント、１０…サーバ装置、２０…タブレット端末、３０…デスクトップ端末、１１、２１、３１…制御部、１２、２２、３２…記憶部、１３、３５…通信部、２３、３３…表示部、２４、３４…操作部、２５…無線通信部、１０１…撮影手段、１０２…受付手段、１０３…記憶手段、１０４…指定手段、１０５…表示制御手段
【図１】
0006486088.tif 000002
【図２】
0006486088.tif 000003
【図３】
0006486088.tif 000004
【図４】
0006486088.tif 000005
【図５】
0006486088.tif 000006
【図６】
0006486088.tif 000007
【図７】
0006486088.tif 000008
【図８】
0006486088.tif 000009
【図９】
0006486088.tif 000010
【図１０】
0006486088.tif 000011
【図１１】
0006486088.tif 000012
【図１２】
0006486088.tif 000013
【図１３】
0006486088.tif 000014
【図１４】
0006486088.tif 000015
【図１５】
0006486088.tif 000016
【図１６】
0006486088.tif 000017
【図１７】
0006486088.tif 000018
【図１８】
0006486088.tif 000019
【図１９】
0006486088.tif 000020